【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
表示部と、
ユーザーからの操作指示を受け付ける操作受付部と、
記録媒体に対して印刷処理を行う印刷部と、
外部メモリーが接続される外部端子と、
前記表示部による表示動作の制御を行う表示制御部と、
前記外部端子を介して前記外部メモリーからデータを読み出す処理を行う読出制御部と、
前記外部メモリーから読み出されたメタデータを解析するインタープリター部と、
前記印刷部の制御を行う制御部と、を備え、
前記読出制御部は、前記外部端子に前記外部メモリーが接続された場合、前記印刷処理の実行を開始させる実行プログラムを前記外部メモリーから読み出し、
前記読出制御部は、読み出した前記実行プログラムに従って、前記印刷処理の対象とする印刷ジョブに含まれたプリンター言語からなるデータに変換されたドキュメントデータについての予め定められた属性を示す属性情報及び前記プリンター言語からなるデータと前記ドキュメントデータとを対応付けるための対応情報を含んだ前記メタデータを前記外部メモリーから読み出し、
前記インタープリター部は、前記読出制御部が読み出した前記メタデータの前記属性情報及び前記対応情報を解析し、
前記表示制御部は、前記インタープリター部での前記属性情報の解析結果を用いて、前記メタデータに前記属性情報の一部として予め含まれた前記ドキュメントデータを示すファイル名の表示と、当該ドキュメントデータでの前記印刷処理の対象とする印刷対象範囲の指定を促す表示とを前記表示部に行わせ、
前記読出制御部は、ユーザーから前記印刷対象範囲を指定する要求を前記操作受付部が受け付けた場合、前記インタープリター部での前記対応情報の解析結果を用いて、前記印刷ジョブに含まれた前記プリンター言語からなるデータのうち、前記要求により指定された前記印刷対象範囲となるデータ部分を前記外部メモリーから読み出し、
前記制御部は、前記読出制御部が前記指定された前記印刷対象範囲となるデータ部分を読み出した場合、前記読出制御部が読み出した前記実行プログラムに従って、読み出した前記印刷対象範囲となるデータ部分に基づく印刷処理を前記印刷部に実行させる、画像形成装置。
【請求項２】
前記読出制御部は、前記実行プログラムに従って、前記外部メモリーから複数の前記印刷ジョブの一覧を示す一覧情報を読み出し、
前記表示制御部は、前記読出制御部が読み出した前記一覧情報に基づいて、前記印刷処理の対象とする少なくとも一つの前記印刷ジョブの指定を促す表示を前記表示部に行わせ、
前記読出制御部は、ユーザーから前記印刷処理の対象とする少なくとも一つの前記印刷ジョブを指定する要求を前記操作受付部が受け付けた場合には、指定された印刷ジョブに対応して作成された前記メタデータを前記外部メモリーから読み出し、
前記インタープリター部は、前記読出制御部が読み出した前記指定された印刷ジョブに対応して作成された前記メタデータの前記属性情報及び前記対応情報を解析し、
前記表示制御部は、前記インタープリター部での前記指定された印刷ジョブに対応して作成された前記メタデータの前記属性情報の解析結果を用いて、当該メタデータに前記属性情報の一部として予め含まれた前記ドキュメントデータを示すファイル名の表示と、当該ドキュメントデータでの前記印刷処理の対象とする印刷対象範囲の指定を促す表示とを前記表示部に行わせ、
前記読出制御部は、ユーザーから前記印刷対象範囲を指定する要求を前記操作受付部が受け付けた場合、前記インタープリター部での前記指定された印刷ジョブに対応して作成
された前記メタデータの前記対応情報の解析結果を用いて、前記印刷ジョブに含まれた前記プリンター言語からなるデータのうち、前記要求により指定された前記印刷対象範囲となるデータ部分を前記外部メモリーから読み出し、
前記制御部は、前記読出制御部が前記指定された前記印刷対象範囲となるデータ部分を読み出した場合、前記読出制御部が読み出した前記実行プログラムに従って、読み出した前記印刷対象範囲となるデータ部分に基づく印刷処理を前記印刷部に実行させる請求項１に記載の画像形成装置。
【請求項３】
前記インタープリター部は、前記読出制御部が読み出した前記属性情報を解析することにより、前記印刷対象範囲として、前記ドキュメントデータを予め定められた区分で区切った区分単位を決定し、
前記表示制御部は、前記印刷対象範囲の指定を促す表示において、ユーザーに指定させる指定項目として前記インタープリター部が決定した前記区分単位を前記表示部に表示させ、
前記読出制御部は、ユーザーから前記区分単位を指定する要求を前記操作受付部が受け付けた場合には、前記対応情報の解析結果を用いて、前記印刷対象範囲となるデータ部分として、当該指定された区分単位のプリンター言語からなるデータを前記外部メモリーから読み出す請求項１又は請求項２に記載の画像形成装置。
【請求項４】
前記インタープリター部は、前記読出制御部が読み出した前記属性情報を解析することにより、前記印刷対象範囲として、前記区分単位に加えて、前記ドキュメントデータの全ページ、及び前記ドキュメントデータのページ単位を決定し、
前記表示制御部は、前記印刷対象範囲の指定を促す表示において、ユーザーに指定させる指定項目として前記インタープリター部が決定した前記区分単位、前記全ページ、及び前記ページ単位を前記表示部に表示させ、
前記読出制御部は、ユーザーから前記全ページを指定する要求を前記操作受付部が受け付けた場合には、前記対応情報の解析結果を用いて、前記印刷対象範囲となるデータ部分として、当該全ページのプリンター言語からなるデータを前記外部メモリーから読み出し、ユーザーから前記ページ単位を指定する要求を前記操作受付部が受け付けた場合には、前記対応情報の解析結果を用いて、前記印刷対象範囲となるデータ部分として、当該指定されたページ単位のプリンター言語からなるデータを前記外部メモリーから読み出す請求項３に記載の画像形成装置。
【請求項５】
前記インタープリター部は、決定した複数の前記区分単位の一覧を示すリストを作成し、
前記表示制御部は、ユーザーから前記区分単位を指定する要求を前記操作受付部が受け付けた場合には、前記指定項目として前記少なくとも一つの区分単位を示した前記リストを前記表示部に表示させ、
前記読出制御部は、ユーザーから前記少なくとも一つの区分単位を指定する要求を前記操作受付部が受け付けた場合には、前記対応情報の解析結果を用いて、前記印刷対象範囲となるデータ部分として、当該指定された区分単位のプリンター言語からなるデータを前記外部メモリーから読み出す請求項３又は請求項４に記載の画像形成装置。
【請求項６】
前記制御部は、ユーザーから前記区分単位を指定する要求を前記操作受付部が受け付けた場合、前記対応情報の解析結果を用いて、前記記録媒体での予め定められた位置から、前記印刷対象範囲となるデータ部分としての当該区分単位のプリンター言語からなるデータに基づく印刷処理での印刷動作を前記印刷部に行わせる請求項３乃至請求項５のいずれか１項に記載の画像形成装置。
【請求項７】
前記インタープリター部は、前記予め定められた区分を、前記ドキュメントデータに含
まれるチャプターを示す語毎に区分けして作成する請求項３乃至請求項６のいずれか１項に記載の画像形成装置。
【請求項８】
印刷部での印刷処理の実行を開始させる実行プログラムを外部メモリーから読み出す第１の読み出しステップと、
読み出した前記実行プログラムに従って、前記印刷処理の対象とする印刷ジョブに含まれたプリンター言語からなるデータに変換されたドキュメントデータについての予め定められた属性を示す属性情報及び前記プリンター言語からなるデータと前記ドキュメントデータとを対応付けるための対応情報を含んだメタデータを前記外部メモリーから読み出す第２の読み出しステップと、
読み出した前記メタデータの前記属性情報及び前記対応情報を解析する解析ステップと、
前記属性情報の解析結果を用いて、前記メタデータに前記属性情報の一部として予め含まれた前記ドキュメントデータを示すファイル名の表示と、当該ドキュメントデータでの前記印刷処理の対象とする印刷対象範囲の指定を促す表示を行う表示ステップと、
ユーザーから前記印刷対象範囲を指定する要求を操作受付部が受け付けた場合、前記対応情報の解析結果を用いて、前記印刷ジョブに含まれた前記プリンター言語からなるデータのうち、前記要求により指定された前記印刷対象範囲となるデータ部分を前記外部メモリーから読み出す第３の読み出しステップと、
前記指定された前記印刷対象範囲となるデータ部分を読み出した場合、読み出した前記実行プログラムに従って、読み出した前記印刷対象範囲となるデータ部分に基づく印刷処理を行う印刷ステップと、を備える画像形成装置の画像形成方法。
【手続補正２】
【補正対象書類名】図面
【補正対象項目名】図１５
【補正方法】変更
【補正の内容】
【図１５】
2018130889.tif 000001